【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
カメラに対して装着可能なアクセサリ装置であって、
前記カメラとの間で行う、データ通信に用いられるデータ通信チャネルと前記データ通信チャネルを介して行う通信の通信方式の通知に用いられる通知チャネルとを含むチャネルを用いた通信を制御するアクセサリ制御部を有し、
前記アクセサリ制御部は、
通信相手の指定を伴わずに行われる通信の方式である第１通信方式と、指定された通信相手と行われる通信の方式である第２通信方式と、に切り替え可能であり、
前記第１通信方式において、前記第２通信方式における前記カメラの通信相手として前記アクセサリ装置が選択されたことを示す通信相手指定データを前記データ通信チャネルを介して受信したことに応じて、前記第１通信方式から前記第２通信方式への切り替えを行い、
前記カメラからデータを受信している間の前記通知チャネルの電圧レベルは、前記第１通信方式と前記第２通信方式とで異なることを特徴とするアクセサリ装置。
【請求項２】
前記第１通信方式において前記カメラからデータを受信している間の前記通知チャネルの電圧レベルは第１のレベルであり、前記第２通信方式において前記カメラからデータを受信している間の前記通知チャネルの電圧レベルは前記第１のレベルよりも高い第２のレベルであることを特徴とする請求項１に記載のアクセサリ装置。
【請求項３】
前記アクセサリ制御部は、前記第１通信方式において、前記カメラからデータを受信した後に、前記通知チャネルの電圧レベルを変化させてから、前記データ通信チャネルを介して前記カメラにデータ送信を行うことを特徴とする請求項２に記載のアクセサリ装置。
【請求項４】
前記アクセサリ制御部は、前記第１通信方式において、前記通知チャネルの電圧レベルを前記第２のレベルから前記第１のレベルに変化させ、前記通知チャネルの電圧レベルが前記第１のレベルの状態で、前記カメラに前記データ通信チャネルを介してデータ送信を行うことを特徴とする請求項３に記載のアクセサリ装置。
【請求項５】
前記アクセサリ制御部は、前記第１通信方式において、前記データ通信チャネルを介した前記カメラからの通信が停止されている状態で、前記通知チャネルの電圧レベルを前記第２のレベルから前記第１のレベルに変化させることで、前記カメラからの通信を再開させることを特徴とする請求項２乃至４のいずれか１項に記載のアクセサリ装置。
【請求項６】
前記アクセサリ制御部は、前記第２通信方式において、前記カメラからのデータ受信を開始した後に、前記通知チャネルの電圧レベルが前記第１のレベルから前記第２のレベルに変化したことに応じて、前記カメラに対するデータ送信を開始することを特徴とする請求項２乃至５のいずれか１項に記載のアクセサリ装置。
【請求項７】
前記アクセサリ制御部は、前記第２通信方式において、前記通知チャネルの電圧レベルが前記第２のレベルの状態で前記カメラからのデータ受信を開始し、前記データ受信を開始した後、前記通知チャネルの電圧レベルが前記第２のレベルから前記第１のレベルに変化し、再び前記第２のレベルに変化したことに応じて、前記カメラに対するデータ送信を開始することを特徴とする請求項６に記載のアクセサリ装置。
【請求項８】
前記アクセサリ制御部は、前記第２通信方式において、前記通知チャネルの電圧レベルを、前記カメラにデータを送信し始めたときの電圧レベルから、前記カメラにデータを送信し始めたときの電圧レベルとは異なる電圧レベルに変化させることにより、前記アクセサリ装置からのデータ送信が終了したことを前記カメラに通知することを特徴とする請求項２乃至７のいずれか１項に記載のアクセサリ装置。
【請求項９】
前記アクセサリ制御部は、前記第２通信方式において、前記カメラに対するデータ送信の後に、前記通知チャネルの電圧レベルを前記第２のレベルから前記第１のレベルに変化させることを特徴とする請求項８に記載のアクセサリ装置。
【請求項１０】
前記アクセサリ制御部は、連続して複数のデータフレームを前記カメラに送信可能であることを特徴とする請求項８または９に記載のアクセサリ装置。
【請求項１１】
前記アクセサリ制御部は、前記第１通信方式において、前記カメラから受信した通信相手指定データが、前記アクセサリ装置が選択されなかったことを示すデータであった場合は、前記第１通信方式から前記第２通信方式への切り替えを行わないことを特徴とする請求項１乃至１０のいずれか１項に記載のアクセサリ装置。
【請求項１２】
前記アクセサリ装置及び前記カメラは、前記通知チャネルを第１の設定と第２の設定にそれぞれ設定可能であり、
前記アクセサリ装置及び前記カメラのいずれかが前記通知チャネルを前記第１の設定した場合と、前記アクセサリ装置及び前記カメラが前記通知チャネルを前記第２の設定とした場合とで、前記通知チャネルの電圧レベルは異なり、
前記アクセサリ制御部は、
前記第１通信方式において、前記カメラからデータを受信している間は前記通知チャネルを第１の設定とし、
前記第２通信方式において、前記カメラからデータを受信している間の少なくとも一部の期間で、前記通知チャネルを第２の設定とすることを特徴とする請求項１乃至１１のいずれか１項に記載のアクセサリ装置。
【請求項１３】
アクセサリ装置が装着可能なカメラであって、
前記カメラに装着されたアクセサリ装置と前記カメラの間で行う、データ通信に用いられるデータ通信チャネルと前記データ通信チャネルを介して行う通信のタイミングを通知する通知チャネルとを含むチャネルを用いた通信を制御するカメラ制御部を有し、
前記カメラ制御部は、
通信相手の指定を伴わずに行われる通信の方式である第１通信方式と、指定された通信相手と行われる通信の方式である第２通信方式と、に切り替え可能であり、
前記第１通信方式において、前記データ通信チャネルを介して前記第２通信方式における前記カメラの通信相手を示す通信相手指定データを送信したことに応じて、前記第１通信方式から前記第２通信方式への切り替えを行い、
前記カメラからデータを送信する間の前記通知チャネルの電圧レベルは、前記第１通信方式と前記第２通信方式とで異なることを特徴とするカメラ。
【請求項１４】
前記カメラ制御部は、
前記第１通信方式において、前記カメラがデータを送信している間の前記通知チャネルの電圧レベルを第１のレベルとし、
前記第２通信方式において、前記カメラがデータを送信している間の前記通知チャネルの電圧レベルを前記第１のレベルよりも高い第２のレベルとすることを特徴とする請求項１３に記載のカメラ。
【請求項１５】
前記カメラ制御部は、前記第１通信方式において、前記データ通信チャネルを介した前記カメラからの通信が停止されている状態で、前記通知チャネルの電圧レベルが前記第２のレベルから前記第１のレベルに変化したことに応じて、前記カメラに装着されたアクセサリ装置へのデータ送信を再開することを特徴とする請求項１３または１４に記載のカメラ。
【請求項１６】
前記カメラ制御部は、前記第２通信方式において、データ送信が完了したことに応じて、前記通知チャネルの電圧レベルを前記第２のレベルから前記第１のレベルに変化させることを特徴とする請求項１４または１５に記載のカメラ。
【請求項１７】
前記カメラと、前記カメラに装着され前記カメラと前記第１通信方式および前記第２通信方式による通信を行うアクセサリ装置それぞれは、前記通知チャネルを第１の設定と第２の設定に設定可能であり、
前記カメラと、前記カメラに装着され前記カメラと前記第１通信方式および前記第２通信方式による通信を行うアクセサリ装置の少なくともいずれかが前記通知チャネルを前記第１の設定した場合と、前記カメラと、前記カメラに装着され前記カメラと前記第１通信方式および前記第２通信方式による通信を行うアクセサリ装置が前記通知チャネルを前記第２の設定とした場合とで、前記通知チャネルの電圧レベルは異なり、
前記カメラ制御部は、
前記第１通信方式において、データ送信を終了したことに応じて、前記通知チャネルの設定を前記第１の設定から前記第２の設定に切り替え、
前記第２通信方式において、データ送信を終了したことに応じて、前記通知チャネルの設定を前記第２の設定から前記第１の設定に切り替えることを特徴とする請求項１４乃至１６のいずれか１項に記載のカメラ。
【請求項１８】
前記カメラ制御部は、連続して複数のデータフレームを前記アクセサリ装置に送信可能であることを特徴とする請求項１６または１７に記載のカメラ。
【請求項１９】
カメラに対して装着可能なアクセサリ装置であって、
前記カメラとの間で行う通信を制御するアクセサリ制御部を有し、
前記通信は、データ通信に用いられるデータ通信チャネルと前記データ通信チャネルを介して行う通信の通信方式の通知に用いられる通知チャネルとを含むチャネルを用いて行い、
前記アクセサリ制御部は、
通信相手の指定を伴わずに行われる通信の方式である第１通信方式と、指定された通信相手と行われる通信の方式である第２通信方式と、に切り替え可能であることを特徴とするアクセサリ装置。
【請求項２０】
アクセサリ装置が装着可能なカメラであって、
前記カメラに装着されたアクセサリ装置と前記カメラの間で行う通信を制御するカメラ制御部を有し、
前記通信は、データ通信に用いられるデータ通信チャネルと前記データ通信チャネルを介して行う通信の通信方式の通知に用いられる通知チャネルとを含むチャネルを用いて行い、
前記カメラ制御部は、
通信相手の指定を伴わずに行われる第１通信方式と、指定された通信相手と行われる通信の方式である第２通信方式と、に切り替え可能であることを特徴とするカメラ。
【請求項２１】
カメラに対して装着可能であり、前記カメラとの間で、データ通信に用いられるデータ通信チャネルと前記データ通信チャネルを介して行う通信のタイミングを通知する通知チャネルとを含むチャネルを用いた通信を行うアクセサリ装置であって、通信方式を、通信相手の指定を伴わずに行われる通信の方式である第１通信方式と、指定された通信相手と行われる通信の方式である第２通信方式第２通信方式と、に切り替え可能であって、前記カメラからデータを受信している間の前記通知チャネルの電圧レベルは、前記第１通信方式と前記第２通信方式とで異なるアクセサリ装置のコンピュータに、
前記第２通信方式における前記カメラの通信相手として前記アクセサリ装置が選択されたことを示す通信相手指定データを、前記第１通信方式において前記カメラから受信するステップと、
前記通信相手指定データの受信に応じて前記第１通信方式から前記第２通信方式への切り替えを行うステップを実行させることを特徴とする通信制御プログラム。
【請求項２２】
アクセサリ装置が装着可能であり、前記カメラに装着されたアクセサリ装置との間で行う、データ通信に用いられるデータ通信チャネルと前記データ通信チャネルを介して行う通信のタイミングを通知する通知チャネルとを含むチャネルを用いた通信を行うカメラであって、通信相手の指定を伴わずに行われる通信の方式である第１通信方式と、指定された通信相手と行われる通信の方式である第２通信方式と、に切り替え可能であって、前記カメラからデータを送信する間の前記通知チャネルの電圧レベルは、前記第１通信方式と前記第２通信方式とで異なるカメラのコンピュータに、
前記第１通信方式において、前記第２通信方式における通信相手として選択したアクセサリ装置を示す通信相手指定データを前記複数のアクセサリ装置に送信するステップと、前記通信相手指定データを送信したことに応じて、前記第１通信方式から前記第２通信方式への切り替えを行うステップを実行させることを特徴とする通信制御プログラム。
【請求項２３】
カメラと、それぞれが該カメラに装着可能な第１のアクセサリ装置および第２のアクセサリ装置を含むカメラシステムであって、
前記カメラは、前記第１のアクセサリ装置および第２のアクセサリ装置との間で行う、データ通信に用いられるデータ通信チャネルと前記データ通信チャネルを介して行う通信のタイミングを通知する通知チャネルとを含むチャネルを用いた通信を制御するカメラ制御部を有し、
前記第１のアクセサリ装置および第２のアクセサリ装置のそれぞれは、前記データ通信チャネルと前記通知チャネルとを含むチャネルを用いた通信を制御するアクセサリ制御部を有し、
前記カメラ制御部と第１のアクセサリ装置および第２のアクセサリ装置のそれぞれの前記アクセサリ制御部は、通信相手の指定を伴わずに行われる通信の方式である第１通信方式と、指定された通信相手と行われる通信の方式である第２通信方式と、に切り替え可能であり、
前記カメラ制御部は、前記第１通信方式において、前記第２通信における前記カメラの通信相手を前記カメラの通信相手を示す通信相手指定データを送信したことに応じて、前記第１通信方式から前記第２通信方式への切り替えを行い、
前記第１のアクセサリ装置および前記第２のアクセサリ装置のうち前記通信相手指定データで指定された１つのアクセサリ装置のアクセサリ制御部は、前記通信相手指定データを受信したことに応じて前記第１通信方式から前記第２通信方式への切り替えを行い、
前記カメラからデータを送信する間の前記通知チャネルの電圧レベルは、前記第１通信方式と前記第２通信方式とで異なることを特徴とするカメラシステム。
【手続補正２】
【補正対象書類名】明細書
【補正対象項目名】００１０
【補正方法】変更
【補正の内容】
【００１０】
本発明のアクセサリ装置は、カメラに対して装着可能なアクセサリ装置であって、前記カメラとの間で行う、データ通信に用いられるデータ通信チャネルと前記データ通信チャネルを介して行う通信の通信方式の通知に用いられる通知チャネルとを含むチャネルを用いた通信を制御するアクセサリ制御部を有し、前記アクセサリ制御部は、通信相手の指定を伴わずに行われる通信の方式である第１通信方式と、指定された通信相手と行われる通信の方式である第２通信方式と、に切り替え可能であり、前記第１通信方式において、前記第２通信方式における前記カメラの通信相手として前記アクセサリ装置が選択されたことを示す通信相手指定データを前記データ通信チャネルを介して受信したことに応じて、前記第１通信方式から前記第２通信方式への切り替えを行い、前記カメラからデータを受信している間の前記通知チャネルの電圧レベルは、前記第１通信方式と前記第２通信方式とで異なることを特徴とする。
【手続補正３】
【補正対象書類名】明細書
【補正対象項目名】００１１
【補正方法】変更
【補正の内容】
【００１１】
また、本発明のカメラは、アクセサリ装置が装着可能なカメラであって、前記カメラに装着されたアクセサリ装置と前記カメラの間で行う、データ通信に用いられるデータ通信チャネルと前記データ通信チャネルを介して行う通信のタイミングを通知する通知チャネルとを含むチャネルを用いた通信を制御するカメラ制御部を有し、前記カメラ制御部は、通信相手の指定を伴わずに行われる第１通信方式と、指定された通信相手と行われる通信の方式である第２通信方式と、に切り替え可能であり、前記第１通信方式において、前記データ通信チャネルを介して前記第２通信方式における前記カメラの通信相手を示す通信相手指定データを送信したことに応じて、前記第１通信方式から前記第２通信方式への切り替えを行い、前記カメラからデータを送信する間の前記通知チャネルの電圧レベルは、前記第１通信方式と前記第２通信方式とで異なることを特徴とする。